(57)【特許請求の範囲】
【請求項１】
哺乳ビンの胴部を保持する保持部材（1）と、これを首からさげるための吊り部材（2）からなる哺乳ビン用授乳補助ホルダーにおいて、前記保持部材（1）は、哺乳ビンの胴部を保持するための伸縮性の生地からなり、前記吊り部材（2）は、一端に哺乳ビンの頭部外周に適合する小径リング（2a）を有し、他端に哺乳ビンの胴部外周に適合する大径リング（2d）を有し、また、授乳者の首に掛けられるように十分な長さ（2c）があり、さらに前記大径リング（2d）には、径調節部材（2e）がついており、哺乳ビンの傾きを調節できるようにした哺乳ビン用授乳補助ホルダー。
【請求項２】
保持部材（1）の底部から胴部に及ぶ円周部分に、ゴム製の滑り止めを有する請求項1記載の哺乳ビン用授乳補助ホルダー。
【請求項３】
保持部材（1）の側面中央部にボタン（1c）を設け、吊り部材（2）の端部に設けたボタンホール（2g）と連結することができる請求項1記載の哺乳ビン用授乳補助ホルダー。
【発明の詳細な説明】
【０００１】
【発明の属する技術分野】
本発明は、哺乳ビン用授乳補助ホルダーに関する。より詳しくは、母親等授乳者が、授乳時に片手を自由に使える為、授乳を中断する必要がない哺乳ビン用授乳補助ホルダーに関するものである。
【従来の技術】
従来の哺乳ビン用授乳補助ホルダーにおいては、ただ単に、片手が自由に使えることのみを追求しており、実用に耐えうるだけの工夫がなされていない。（例えば、実用新案公報、実用新案出願公告、昭５１‐５２５５２参照）
【０００２】
【発明が解決しようとする課題】
記載の哺乳ビン補助ホルダーは、哺乳ビン  乳児を抱いて哺乳ビンで授乳する場合、従来は片手で乳児を抱くと共に、もう一方の手は常に哺乳ビンを握っている必要があり、結果的に両手とも塞がってしまう為、授乳時に乳児の汗や漏乳を拭いたり、電話の応対をする程度の片手で済む簡単なことでも、その度に授乳を中断しなければならず、乳児がむずがったりミルクを飲まなくなったりする恐れがあった。また、母親等の授乳者が、花粉症や風邪のために洟をかむ必要性が生じた場合や、生後２、３カ月頃からの遊び飲み（ムラ飲み）により授乳が長時間に及ぶ場合に於ても、従来はただ授乳を優先する親心から多大な忍耐が必要とされた。
【０００３】
本発明の目的は上記の問題課題を解決し、母親等授乳者が自由に片手を使うことが出来るため、授乳時における中断や、両手拘束による不便さからくる苦痛や忍耐を多大に解消するための哺乳ビン補助ホルダーを提供することである。
【０００４】
【問題を解決するための手段】
上記目的を達成するため、請求項１記載の哺乳ビン補助ホルダーは、哺乳ビンの胴部を保持する伸縮性の生地１と、この保持部材に取り付けられ、その一端が哺乳ビンの頭部外周に適合する小径リング２ａ、及び哺乳ビンの胴部外周に適合する大径リング２ｄよりなり、小径リング２ａと大径リング２ｄを連結すると共に母親等授乳者の首に掛けられるだけの長さ２ｃを有し、なおかつ大径リング２ｄの径調製部材２ｅを有する吊り部材２を備えたことを特徴とする。
【０００５】
【発明の実施の形態】
発明の実施の形態を実施例にもとづき図面を参照して説明する。
【０００６】
図１は本発明に係る哺乳ビン補助ホルダーの一実施の形態を示す側面図、図２は哺乳ビンの側面図、図３は使用状態図、図４は径調整説明図である。
【０００７】
これらの図が示すように、この実施の形態の哺乳ビン用授乳補助ホルダーは、哺乳ビン３の胴部３ｂを保持する保持部材１とこの保持部材１に縫いつけられた１ａ及び１ｂを通すことにより連結された吊り部材２とを備えている。
【０００８】
保持部材１は、その伸縮性に応じて哺乳ビンの直径よりやや小さめに作成することにより、その伸縮性と摩擦により十分な保持機能を発揮し、哺乳ビンが傾斜した場合においても脱落の心配がなく、また、布製であることからある程度の保温効果がある。また、各種の哺乳ビンに対応出来る。
【０００９】
保持部材１は、その底部と底部から胴部にかけての円周部分にゴム製の滑り止めを備えており、授乳者の衣服の胸部と接触することにより、哺乳ビンを保持した保持部材の横滑りを防止出来る。
【００１０】
吊り部材２は、一本の紐を基本に形成される。まず、紐の中央部より小径リング２ａを形成し、この小径リング２ａの径を調節するための調整部材２ｂを設けることにより、哺乳ビンの首部３ａを確実に係止する。
【００１１】
更に、調整部材２ｂより伸びた２本の紐は、母親等授乳者の首に掛けられるだけの十分な長さを確保し、次に哺乳ビン胴部３ｂを保持するための大径リング２ｄを形成するが、この際哺乳ビンの傾斜に必要な角度を確保すべく、十分な直径とする。
【００１２】
この際、保持部材２と連結するために一方を１ａ、もう一方を１ｂに通し、更に大径リング２ｄの径調節部材２ｅを設け、２ｆの長さを確保し、ボタンホール２ｇを形成し、両端を結ぶことにより連結させる。
【００１３】
【発明の効果】
本発明は、以上説明したように構成されているので、以下に記載されるような効果を奏する。
【００１４】
哺乳ビンは、保持部材１の伸縮性により簡単に挿入することが出来、もし、万が一倒れた場合でも、布製という特徴により破損を防止することが出来る。
【００１５】
吊り部材２の大径リング２ｄを、保持部材１に縫いつけられた１ａ及び１ｂを通すことにより連結された状態の保持部材１にその胴部を保持された哺乳ビンは、２ｃ部を母親等の首に掛け、２ａのリングに哺乳ビンの首部を挿入し、更に２ｂにより２ａの径を調節して脱落しないようにすれば、簡単に首に吊るした状態になる。
【００１６】
ここでの重要点は、吊り部材２ａ及び２ｄにより支持された保持部材１は、支持されてはいるものの固定されていないので、乳児の動きに合わせて哺乳ビンを回転させ漏乳を防ぐことが出来、かつ、吊り部材と保持部材の摩擦、及び径調節部材２ｅにより必要以上の回転は発生しない。
【００１７】
更に、吊り部材は紐状であることから、授乳者から見て左右、乳児から見て前後の動きに対して柔軟に対応出来るという利点があり、乳児の動きに素早く対応して漏乳防止に著しい効果が得られる。
【００１８】
また、授乳開始から時間の経過と共に哺乳ビン内部のミルクの量が減少し、哺乳ビンを傾ける必要が生じた場合には、径調整部材２ｅを徐々に上方にずらし、保持部材と共に哺乳ビン底部を上昇させ傾斜させることにより、無理なく授乳を継続することが可能である。
【００１９】
この時、径調整部材２ｅの調整においては片手で行なうことになるので、事前に吊り部材のボタンホール部２ｇを保持部材のボタン１ｃに連結させ、吊り部材の２ｆを輪状にし、この下部中央部を支点として２ｅを上昇させることにより。請求項３に対して、長さ調節が簡単にできる。
【００２０】
この径調製部材２ｅにより、哺乳ビンの傾斜を容易に調節でき、なおかつ、その角度を確実に保持できることにより、乳児が空気を飲み込むことを防止し、更に従来のように常時片手を添えておく必要が無くなることから、両手拘束の不便さから解放され、授乳時の苦痛と忍耐を大幅に軽減することが出来る。
【図面の簡単な説明】
【図１】本発明の哺乳ビン補助ホルダーを、哺乳ビンに装着した時の側面図である。
【図２】哺乳ビンを示した側面図である。
【図３】本発明の哺乳ビン補助ホルダーの一実施例である。
【図４】本発明の哺乳ビン補助ホルダーの、角度調整部の説明図である。
【符号の説明】
１  哺乳ビン保持部材
１ａ  大径リング用連結ガイド
１ｂ  大径リング用連結ガイド
１ｃ  ボタン
２  哺乳ビン吊り部材
２ａ  小径リング
２ｂ  径調製部材
２ｃ  首掛け用紐部
２ｄ  大径リング
２ｅ  大径リング用径調整部材
２ｆ  大径リング下端部
２ｇ  ボタンホール
【図１】
0003811716.tif 000002
【図２】
0003811716.tif 000003
【図３】
0003811716.tif 000004
【図４】
0003811716.tif 000005